(57)【要約】      （修正有）【課題】アウターとインナーとからなる２重構造の容器において、インナーがアウターから抜けないようにしながら、片手でヘッド蓋が開閉できる容器を提供する。【解決手段】中箱が底板の四周で互いに向き合う一対の前後端板と一対の左右側板とを設けた上面が開放された箱体であって、中箱の左右の側板に、箱の頭部側と後部側とに切り離す一対の切割線を設け、かつ底板には、一対の切割線を結んだ位置にバネ作用を有する曲線状折線を設けることにより、中箱の頭部寄りに開閉機能を有したヘッド蓋を形成する。アウターは、中箱の周りを囲んでその開放面を閉じることが可能なほぼ４角形の角筒体として形成され、アウターの頭部側にはヘッド蓋が対応する位置に、ヘッド蓋を曲線状折線を介して後方に屈曲させることを可能にする切欠き部を設ける。【選択図】図１
0003155861.tif 000002
【実用新案登録請求の範囲】
【請求項１】
略角筒状の形成されたスリーブ型アウターと、このアウターに差し込んだ中箱とからなる２重容器において、
中箱が底板の四周で互いに向き合う一対の前後端板と一対の左右側板とを設けた上面が開放された箱体であって、該中箱の左右の側板に、箱の頭部側と後部側とに切り離す一対の切割線を設け、かつ底板には、前記一対の切割線を結んだ位置にバネ作用を有する曲線状折線を設けることにより、中箱の頭部寄りに開閉機能を有したヘッド蓋を形成し、
一方、スリーブ型アウターは、前記中箱の周りを囲んでその開放面を閉じることが可能なほぼ４角形の角筒体として形成され、該アウターの頭部側には前記ヘッド蓋が対応する位置に、ヘッド蓋を前記曲線状折線を介して後方に屈曲させることを可能にする切欠き部を設けてなることを特徴とする片手でヘッドが開閉できる容器。
【請求項２】
前記曲線状折線は、中箱のヘッド蓋側を、前記アウターの外側に弾力的に屈曲させ又は弾力的に復元させてヘッド蓋を開閉可能にする円弧状折れ線として形成されていることが特徴とする請求項１に記載の容器。
【請求項３】
前記中箱に、アウターの端部に係止される抜け止め突起を設けた請求項１または２に記載の容器。
【請求項４】
前記アウターの前端部に凹型ロックを設け、中箱の頭部側には前記凹型ロックに対応する凸型ロックを設け、前記凹型ロックと凸型ロックとをはめ合わせることで中箱のヘッド蓋がかかり止めされるようにした請求項１〜３の何れか１項に記載の容器。
【考案の詳細な説明】
【技術分野】
【０００１】
本考案は、粒状の商品を入れるカートン容器に関するものである。特に容器のヘッド蓋を片手で開閉し、内容物を振り出すことができるカートン容器に関するものである。
【背景技術】
【０００２】
従来から、容器の頭部をジッパーにより開封し、例えばガム・チョコレート・キャラメル等の粒状の菓子を取り出した後、再封して繰り返し使用することができる振り出し容器は知られている。
また、スリーブ型のアウターとこれに差し込んだインナーとから構成され、アウターとインナーの相対的位置を変化させると、取出口が開口し、また同時にインナーのロックがかかるようにしたカートン容器も、たとえば下記特許文献等により知られている。
【先行技術文献】
【特許文献】
【０００３】
【特許文献１】実開平７−２２９１２号公報
【特許文献２】特開２００６−１６１７号公報
【特許文献３】特開２００５−１７０３９１号公報
【考案の概要】
【考案が解決しようとする課題】
【０００４】
しかし、容器の蓋を片手で開閉しながら、内容物を振り出すことができるカートンは数少ない。また、アウターとインナーとの２重容器から構成されたカートン容器において、使用時にインナーをアウターから引き出さずに取り出し口を開閉できるようにした容器は従来知られていなかった。
【０００５】
そこで本考案は、アウターとインナーとからなる２重構造の容器において、インナーがアウターから抜けないようにしながら、片手でヘッド蓋が開閉できる容器を提供するものである。
また、同時に本考案は、使用時に蓋が簡易にロックできる容器を提供することを課題とする。
【０００６】
本考案は、上記課題を解決するため、略角筒状の形成されたスリーブ型アウターと、このアウターに差し込んだ中箱とからなる２重容器において、
中箱が底板の四周で互いに向き合う一対の前後端板と一対の左右側板とを設けた上面が開放された箱体であって、該中箱の左右の側板に、箱の頭部側と後部側とに切り離す一対の切割線を設け、かつ底板には、前記一対の切割線を結んだ位置にバネ作用を有する曲線状折線を設けることにより、中箱の頭部寄りに開閉機能を有したヘッド蓋を形成し、
一方、スリーブ型アウターは、前記中箱の周りを囲んでその開放面を閉じることが可能なほぼ４角形の角筒体として形成され、該アウターの頭部側には前記ヘッド蓋が対応する位置に、ヘッド蓋を前記曲線状折線を介して後方に屈曲させることを可能にする切欠き部を設けてなる、ことが特徴である。
【０００７】
前記曲線状折線は、中箱のヘッド蓋側を、前記アウターの外側に弾力的に屈曲させ又は弾力的に復元してヘッド蓋を開閉できることを可能にする円弧状折れ線として形成されていることが特徴である。
【０００８】
また本考案は、前記中箱に、アウターの端部に係止される抜け止め突起を設けることにより、アウターから中箱が抜け出ないようにしたものである。
【０００９】
さらにまた本考案は、前記アウターの前端部に蓋部凹型ロックを設け、中箱の前端部には前記蓋部凹型ロックに対応する凸型ロックを設けて、前記凹型ロックと凸型ロックとをはめ合わせることで中箱のヘッド蓋がかかり止めされ、使用時に中箱の内容物が外にこぼれにないようにしたものである。
【考案の効果】
【００１０】
本考案は、片手でヘッドが開閉でき、粒状の菓子や食品をこぼすことなく片手で振出すことができる。また、使用時にインナーがアウターから抜けない振出し容器を簡単な構成で実現した。またアウターとインナーとからなる２重容器を通常の製函設備で製造することが可能となった。
【図面の簡単な説明】
【００１１】
【図１】図１は本考案のカートン容器の閉塞時の斜視図である。
【図２】図２は図１の容器の開封時の斜視図である。
【図３】図３はヘッド蓋のヘッド蓋の開封状態の拡大斜視図である。
【図４】図４はヘッド蓋のロック状態の拡大斜視図である。
【図５】図５は中箱（インナー）の展開図とアウターの展開図である。
【考案を実施するための形態】
【００１２】
（実施例）
図４は中箱（インナー）とアウターのブランクの展開図である。先ず図により、中箱Ａの構成を説明する。
符号１は矩形の底板、２ａと２ｂは底板１の両側に対向するように連接した一対の側板である。３ａと３ｂは、底板1の両端部に対向するように連設した前後の端板、４ａと４ｂは端板に連接した折込片、５ａと５ｂは両側板２ａと２ｂの両端部に連設した内折込片である。
符号６ａと６ｂは一対の切割線６ａと６ｂであり、側板２ａと２ｂをそれぞれ中箱の頭部側と後部側とに２分している。切割線６ａと６ｂは、側板の上端部から底板に向かってカーブしているが、まっすぐな直線であってもよい。
符号７は底板１に設けた曲線状折線であり、この折線は一対の切割線６ａと６ｂを結んだ位置に形成されている。この曲線状折線は、図示のように、後部側に向かって凸となる円弧状折線として形成することが好ましい。このような形状の円弧状折線を形成すると、後述するように、使用時に中箱の頭部側をアウターの外側に屈曲させ又は弾力的に復元させることができ、ヘッド蓋を開閉させることが可能になる。
【００１３】
符号８ａと８ｂは、曲線状折線７と両側板２ａ，２ｂとの交点に、側方に突出するように形成させた抜止め用突起である。符号９は一方の端板３ａと底板との境界に端板３ａ側に突出するように設けた引起こし摘みである。また符号１０ａと１０ｂは、端板３ａと折込片４ａとの境界に端板３ａから突出するように設けた凸型ロックである。
なお符号１１は端板３ｂと折込片４ｂとの境界に端板３ｂから突出するように設けたアウターの端部に係止される抜止め用突起である。
【００１４】
次にアウターＢの構成を説明する。
アウターは折目を介し４枚の矩形状の外面板２０〜２３を順次連設し、これらの各板を糊代片２４を介し角筒状に連繋し、前記中箱（インナー）の外ケースとして使用することができるように構成されている。
【００１５】
前記外面板２０〜２３のうち、中央に位置する板２２を除く両側の各板には、中箱のヘッド蓋を前記曲線状折線を介し後方に屈曲させることを可能にする切欠き部２５ａ，２５ｂを形成している。
符号２６はアウターの前端部を切欠いて形成した蓋部の凹型ロックである。
【００１６】
以下本実施例の組立て方を説明する。中箱Ａは、定法通り先ず底板１の周囲に左右の側板２ａと２ｂと前後の端板３ａと３ｂを直角に立ち上げ、折込片と内折込片を折って上面が開放された直方体状の箱を形成する。
続いてアウターＢを中箱Ａの外側に巻きつけることにより、開口部を塞いで、中箱のヘッド蓋側をアウターの切欠き部２５ａ，２５ｂから外側に屈曲させることができるようにする。なお、アウターＢから中箱Ａが抜け出ないように、図１のように前記中箱の端板３ｂから突出する抜防止用突起１１をアウターの端部に係止し、また中箱の曲線状折線７に形成させた抜止め用突起８ａと８ｂは、アウターの切欠部２５ａ，２５ｂに係止する。
このようにすると中箱ＡとアウターＢとは、簡単に内外一体に組み立てられることとなる。また、中箱Ａの蓋部ロック１０ａ，１０ｂとアウターＢの凹型の蓋部ロック２６とが掛り合うことにより、中箱のヘッド蓋がかかり止めされ、使用時に中箱の内容物が外にこぼれにないようになっている。
【００１７】
続いて使用方法（商品の取出し方法）を説明する。
先ず図１の状態から図２に示したように、片手で容器のヘッド蓋を引き起こす。このとき中箱はその左右の側板２ａ，２ｂに、箱の頭部側と後部側とに切り離す一対の切割線６ａ，６ｂを設け、かつ底板１に前記一対の切割線を結んだ位置にバネ作用を有した曲線状折線７を設けているから、ヘッド蓋を引き起こすと、そのヘッド蓋側は、前記アウターの外側に弾力的に屈曲する。ヘッド蓋から指を離すと弾力的に復元するので、ヘッド蓋を開閉できる。
従って本考案は、使用時にヘッド蓋を所定位置まで引き出すと、振り出し口が開口して、内容物を振り出すことができ、振り出し口の開閉後は、中箱Ａのロック１０ａ，１０ｂとアウターＢのロック２６とを掛合うことにより、ヘッド蓋が簡単にロックできる。
【符号の説明】
【００１８】
Ａ  中箱（インナー）
Ｂ  アウター
１  底板
２ａ，２ｂ  左右の側板
３ａ、３ｂ  前後の端板
４ａ，４ｂ  折込片
５ａ，５ｂ  内折込片
６ａ、６ｂ  切割線
７  曲線状折線
８ａ、８ｂ  抜止め用突起
９  引起し摘み
１０ａ，１０ｂ  凸型ロック
１１  抜止め用突起
２０〜２４  外面板
２５ａ，２５ｂ  切欠き部
２６  凹型ロック
【図１】
0003155861.tif 000003
【図２】
0003155861.tif 000004
【図３】
0003155861.tif 000005
【図４】
0003155861.tif 000006
【図５】
0003155861.tif 000007